(57)【要約】【課題】安定した係合部の係合強度を有し、機能、品質が一定した蓋付き容器を提供すること。【解決手段】容器本体２に揺動部４を介して開閉可能に取り付けられ、かつ、容器本体２と係合部５を介して係合するようにした蓋３を備えた蓋付き容器において、係合部５を構成する係合爪２２、３２の蓋３の開閉時の移動方向Ｍが、揺動部４の軸方向と直交する方向に対して所定の角度θをなすようにする。【選択図】図１
2013192883.tif 000002
【特許請求の範囲】
【請求項１】
容器本体の後部に揺動部を介して開閉可能に取り付けられ、かつ、容器本体と前端側の係合部を介して係合するようにした蓋を備えた蓋付き容器において、前記係合部を構成する係合爪の蓋の開閉時の移動方向が、前記揺動部の軸方向と直交する方向に対して所定の角度をなすようにしてなることを特徴とする蓋付き容器。
【請求項２】
前記角度が、４５°〜１３５°の範囲に設定されてなることを特徴とする請求項１記載の蓋付き容器。
【請求項３】
容器本体及び蓋の一方に揺動部の軸芯を形成し、他方に開口端から前記軸芯を挿入して嵌合保持する軸芯保持部を形成したことを特徴とする請求項１又は２記載の蓋付き容器。
【発明の詳細な説明】
【技術分野】
【０００１】
本発明は、蓋付き容器に関し、特に、化粧用コンパクト容器等の開閉可能な蓋を備えた蓋付き容器に関するものである。
【背景技術】
【０００２】
従来、化粧用コンパクト容器等において、開閉可能な蓋を備えた蓋付き容器が用いられている（例えば、特許文献１参照。）。
【０００３】
ところで、この種の蓋付き容器は、容器本体の後部に揺動部を介して開閉可能に取り付けられた蓋を、容器本体と前端側の係合部を介して係合するようにすることにより、不使用時に蓋が開かないようにしている。
【先行技術文献】
【特許文献】
【０００４】
【特許文献１】実用新案登録第２５８０７５９号公報
【発明の概要】
【発明が解決しようとする課題】
【０００５】
そして、従来の蓋付き容器は、蓋を開く際に、揺動部と対向する蓋の前端側の開蓋操作部をもって、蓋を容器本体に対して押し上げるようにすることによって、容器本体と蓋の係合部の係合状態を解除するようにしている。
【０００６】
ところで、従来の蓋付き容器においては、蓋を開閉する際の係合部を構成する係合爪の移動方向が、揺動部から離れる方向、すなわち、揺動部の軸方向と直交する方向に設定されているが、蓋付き容器、すなわち、容器本体及び蓋の成形精度、蒸着工程、ホットスタンプ等の２次加工の影響、容器本体と蓋の組み付け作業時の不具合等によって、揺動部と係合部との間の寸法、特に、揺動部と係合部を構成する係合爪との間の寸法にバラツキが生じた場合、係合部を構成する係合爪の移動方向が揺動部からの距離に影響し、係合部を構成する係合爪の引っ掛かり量が変動するため、係合部の係合強度が安定せず、蓋付き容器の機能、品質が一定しないという問題があった。
【０００７】
本発明は、上記従来の蓋付き容器の有する問題点に鑑み、揺動部と係合部との間の寸法にバラツキが生じた場合でも、安定した係合部の係合強度を有し、機能、品質が一定した蓋付き容器を提供することを目的とする。
【課題を解決するための手段】
【０００８】
上記目的を達成するため、本発明の蓋付き容器は、容器本体の後部に揺動部を介して開閉可能に取り付けられ、かつ、容器本体と前端側の係合部を介して係合するようにした蓋を備えた蓋付き容器において、前記係合部を構成する係合爪の蓋の開閉時の移動方向が、前記揺動部の軸方向と直交する方向に対して所定の角度をなすようにしてなることを特徴とする。
【０００９】
この場合において、前記角度を、４５°〜１３５°の範囲に設定することができる。
【００１０】
また、容器本体及び蓋の一方に揺動部の軸芯を形成し、他方に開口端から前記軸芯を挿入して嵌合保持する軸芯保持部を形成することができる。
【発明の効果】
【００１１】
本発明の蓋付き容器によれば、係合部を構成する係合爪の蓋の開閉時の移動方向が、揺動部の軸方向と直交する方向に対して所定の角度をなすようにしてなることにより、揺動部と係合部との間の寸法にバラツキが生じた場合でも、係合部を構成する係合爪の移動方向が揺動部からの距離に影響されることが少ない方向となるように、すなわち、係合部を構成する係合爪の引っ掛かり量の変動を少なくすることができ、係合部の係合強度が安定し、機能、品質が一定した蓋付き容器を得ることができる。
【００１２】
また、前記角度を、４５°〜１３５°の範囲に設定することにより、係合部を構成する係合爪の引っ掛かり量の変動を一層少なくすることができる。
【００１３】
また、容器本体及び蓋の一方に揺動部の軸芯を形成し、他方に開口端から前記軸芯を挿入して嵌合保持する軸芯保持部を形成するようにすることにより、容器本体と蓋の組み付け作業時の不具合をなくすことができ、係合部の係合強度を一層安定させることができる。
【図面の簡単な説明】
【００１４】
【図１】本発明の蓋付き容器の一実施例を示し、（ａ）は側面視の断面図、（ｂ）は同左側の係合部の断面図、（ｃ）は（ｂ）のＡ−Ａ’断面図である。
【図２】同蓋付き容器を示し、（ａ）は蓋を開けた状態の側面図、（ｂ１）は蓋を閉じた状態の背面図、（ｂ２）は同平面図、（ｂ３）は同正面図、（ｂ４）は同右側面図、（ｃ）は蓋を開けた状態の平面図である。
【図３】同蓋付き容器の係合部を構成する蓋側の係合爪を示し、（ａ１）は斜視図、（ｂ１）は平面図、（ａ２）は変形例の斜視図、（ｂ２）は同平面図である。
【発明を実施するための形態】
【００１５】
以下、本発明の蓋付き容器の実施の形態を、図面に基づいて説明する。
【００１６】
図１〜図３（ａ１）及び（ｂ１）に、本発明の蓋付き容器の一実施例を示す。
この蓋付き容器１は、本発明を化粧用コンパクト容器に適用したものであって、容器本体２の後部に揺動部４を介して開閉可能に取り付けられ、かつ、容器本体２と前端側の係合部５を介して係合するようにした蓋３を備えるようにしている。
【００１７】
容器本体２の内部は、中枠６によって区画し、ファンデーションやパフ等を収容できるようにしている。
また、蓋３の内面側には、鏡７を配設するようにしている。
【００１８】
この場合において、揺動部４は、容器本体２及び蓋３の一方（本実施例においては、容器本体２）に揺動部４の軸芯２１を形成し、他方（本実施例においては、蓋３）に開口端３１ａから軸芯２１を挿入して嵌合保持する軸芯保持部３１を形成することにより構成するようにしている。
なお、揺動部４の軸芯を蓋３側に、軸芯保持部を容器本体２側に設けることもできる。
これにより、別体で成形した容器本体２及び蓋３を、蓋３の軸芯保持部３１に、その開口端３１ａから容器本体２の軸芯２１を挿入することで、簡易に、かつ、揺動部４に損傷を与えることなく組み付けることができ、作業時の不具合をなくすことができる。
【００１９】
また、係合部５は、容器本体２及び蓋３のそれぞれに２本ずつの係合爪２２、３２を延設することにより構成するようにしている。
そして、本実施例においては、容器本体２の２本の係合爪２２の外側に、蓋３の２本の係合爪３２が位置することにより、両者が係合して蓋３が閉鎖された状態を維持できるようにしているが、係合爪２２、３２の配置を逆にすることもできる。
【００２０】
また、揺動部４と対向する容器本体２の前面に形成した凹部２３には、押圧部材８を水平方向に摺動可能に配設し、蓋３を開く際に押圧部材８を押し込むことによって、押圧部材８の突出片８１が蓋３に形成した押し上げ片３３に当接し、これを押し上げるようにすることによって、容器本体２の係合爪２２と蓋３の係合爪３２からなる係合部５の係合状態を解除できるようにしている。
【００２１】
そして、本実施例においては、蓋３を開閉する際に、係合部５を構成する係合爪２２、３２（本実施例においては、主として、蓋３の係合爪３２）の移動方向Ｍが、揺動部４の軸方向と直交する方向に対して所定の角度θをなすようにしている。
ここで、角度θは、０°（１８０°）を除く任意の角度に設定することができるが、好ましくは、３０°〜１５０°、より好ましくは、４５°〜１３５°、さらに好ましくは、６０°〜１２０°の範囲（本実施例においては、約９０°）に設定することができる。
これにより、容器本体２及び蓋３の成形精度、蒸着工程、ホットスタンプ等の２次加工の影響、容器本体２と蓋３の組み付け作業時の不具合等によって、揺動部４と係合部５との間の寸法、特に、揺動部４と係合部５を構成する係合爪２２、３２との間の寸法にバラツキが生じた場合でも、係合部５を構成する係合爪２２、３２の移動方向Ｍが揺動部４からの距離に影響されることが少ない方向となるように、すなわち、係合部５を構成する係合爪２２、３２の引っ掛かり量の変動を少なくすることができ（特に、本実施例のように、角度θを約９０°に設定することにより、係合部５を構成する係合爪２２、３２の引っ掛かり量の変動を実質的になくすことができる。）、係合部５の係合強度が安定し、蓋付き容器１の機能、品質を一定にすることができる。
【００２２】
ところで、本実施例においては、係合爪２２、３２の引っ掛かりとなる係合爪２２、３２に形成した突状部２２ａ、３２ａの断面形状を、半円形状に構成し、突状部２２ａ、３２ａ同士が線接触するようにしているが、断面形状を矩形状に構成し、突状部２２ａ、３２ａ同士が面接触するようにすることもできる。
【００２３】
また、本実施例においては、係合爪２２、３２に形成した突状部２２ａ、３２ａの断面形状を、揺動部４の軸方向（本実施例においては、軸芯２１の延設方向）と直交する方向で変化しないようにすることにより、突状部２２ａ、３２ａ同士の接触状態が、同方向で変化しないようにしたが、係合爪３２に形成した突状部３２ｂ（及び／又は係合爪２２に形成した突状部）の断面形状を、同方向で変化させることにより、係合部５の係合強度を調整することができる（例えば、図３（ａ２）及び（ｂ２）に示すように、揺動部４と対向する蓋３の端縁側に向けて突出量が小さくなるようにすることにより、蓋３を開く際の負荷を小さくすることができる。）。
【００２４】
以上、本発明の蓋付き容器について、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の蓋付き容器は、安定した係合部の係合強度を有し、機能、品質が一定していることから、化粧用コンパクト容器の用途に好適に用いることができるほか、その他の蓋付き容器の用途に広く用いることができる。
【符号の説明】
【００２６】
１    蓋付き容器
２    容器本体
２１  軸芯
２２  係合爪
２２ａ  突状部
２３  凹部
３    蓋
３１  軸芯保持部
３２  係合爪
３２ａ  突状部
３３  押し上げ片
４    揺動部
５    係合部
６    中枠
７    鏡
８    押圧部材
８１  突出片
θ    角度
【図１】
2013192883.tif 000003
【図２】
2013192883.tif 000004
【図３】
2013192883.tif 000005